Podtech/llm-jp-corpus-v4-ja_patent huggingface dataset:
(57)【要約】      （修正有）【課題】座面が滑りやすく前方へずり落ちが生ずる性質により、両足裏で床面をしっかり踏みことにより、座りながら下肢の筋力をつける訓練効果が得られつつ、着座時に骨盤の後継を抑制し、上半身が起立した姿勢を保つことにより腰椎への過度の負担を解消し腰痛の防止、円背姿勢の予防をする身体機能維持改善椅子用クッションを提供する。【解決手段】椅子の座面上に設置され、後部２が高く前部３を低くした斜面を有するクッションであって、クッション上部座面の後部が滑りやすい素材４で構成され、前部は摩擦抵抗が大きく滑りにくい素材５で構成された。【選択図】図１
0003215398.tif 000002
【実用新案登録請求の範囲】
【請求項１】
椅子の座面上に設置され、後部が高く前部を低くした斜面を有するクッションであって、クッション上部座面後部が滑りやすい素材で構成され、前部は摩擦抵抗が大きく滑りにくい素材で構成された身体機能維持改善椅子用クッション。
【考案の詳細な説明】
【技術分野】
【０００１】  本考案は椅子付属物として着座による摩擦抵抗を利用し下肢の踏ん張りによる身体機能を維持改善、姿勢を改善する椅子用のクッションに関するものである。
【背景技術】
【０００２】  椅子やクッションは、安楽に長時間の着座姿勢をとっても疲れず座っていられることで改良されてきたが、長時間の座位姿勢により筋力が低下し腰痛や円背いわゆる猫背、また下肢の筋力低下や長時間の座位保持によりエコノミー症候群や全身特に下肢の衰えを招く危険がある。
姿勢を改善するための椅子用のクッションなども開発されているが、下肢の筋力の低下防止には至っていない。
【先行技術文献】
【０００３】
【特許文献】
【特許文献】特開２００３−２８４６２０
【考案の概要】
【考案が解決しようとする課題】
【０００４】  椅子やそのクッションは安楽に座るために工夫されてきた。それゆえ、座位姿勢が背もたれにもたれた骨盤の後傾をとることになり円背いわゆる猫背が増長され、背もたれにもたれることで全身特に下肢の筋力が低下し、長時間利用により下肢の血流不全によりむくみやエコノミー症候群が発生し、また仙骨座りによる座り床ずれが発生しやすい。【０００５】  また０００４を改善する目的のクッションや椅子の形状に工夫がなされているが、長時間利用による下肢の筋力低下予防の機能は付加されていない。
【課題を解決するための手段】
【０００６】  本考案は、以上のような点に鑑み、使用時に座面が滑りやすく前方へずり落ちが生ずる性質を有するため、両足裏で床面をしっかり踏み安定させる必要があり、座りながら全身の特に下肢の筋力をつける訓練効果が得られる。また、着座時に骨盤の後継を抑制し、上半身が起立した姿勢を保つことにより腰椎への過度の負担を解消し腰痛の防止、円背姿勢や座り床ずれの予防ができる。
【考案の効果】
【０００７】  クッション座面後部は摩擦抵抗の低い材質で表面を覆われているため、座ることにより滑りやすくなり使用者は前方へのずり落ちを抑制するため床面を足で踏ん張るため下肢の筋力が座りながら得られる。【０００８】  座面前方は摩擦抵抗の高い素材で表面を覆い、椅子からの転落を予防できる。【０００９】  また座位時に足裏で床面を踏ん張るため、咬合力が低下することも予防でき、口腔機能の改善効果も期待できる。【００１０】  本機器は座面が前下がり形状で構成されており、使用することで椅子の背もたれに頼ることなく骨盤が立った姿勢となり円背姿勢を予防し脊椎の負担を軽減できつつ座位姿勢を維持するための全身の筋力やバランス力が得られる
【図面の簡単な説明】
【００１１】
【図１】本考案のクッション全体を斜めから示す斜視図である
【図２】本考案のクッションを椅子座面に設置し、ヒトが座った場合の使用図とヒトの骨格を示す側面図である。
【考案を実施するための形態】
【００１２】    このクッションは椅子座面に置くと、後方が高く前方に低くなるように断面では三角形に作られている。クッションの座面上方後部は滑りやすく摩擦抵抗の低い素材などで覆われており、座った際に前方に滑りやすいため、使用者は自然に足裏をしっかり床面に着けて座ることにより踏ん張りがきくために下肢の筋力が座りながら強化できる。また、クッション座面前面は滑りにくい素材で覆われており転落が予防できる。
クッションは、前下がり構造のため、人が座ると骨盤は自然に垂直方向に立ち上半身の筋肉の働きにより背骨は自然なＳ字カーブを描く。このため骨盤が後傾し力なく背もたれにもたれるいわゆる仙骨座り姿勢にならず円背などの姿勢になりにくくなる。
【実施例】
【００１３】  以下、添付図面１に従って実施例を説明する。図１斜視図は本クッションを斜視的に俯瞰した全体図となっている。１はヒトが座っても十分耐えられる構造のクッション全体図、２はクッション後方となり、２を椅子座面後方背もたれ側において使用する。４はその表皮を滑りやすく摩擦抵抗の低い素材で覆われて利用者はここに座ることで滑りやすくなり、転落を防ぐために自然に足裏で床面を踏ん張る姿勢となる。このため大腿部等下肢の筋力が座りながらにしてトレーニングされる。５の表皮は摩擦抵抗が高く滑りにくい素材で覆われるため滑り止めにより転落が予防できる。また２の前部の角度はおおよそ５度から１０度程度の角度で作成される。【００１４】  添付図面２は使用図である。６が本クッションである。椅子の座面に後方に高く前方に低く前下がりに７椅子背もたれ側に２のクッション後部が後方に設置される。正しい着座姿勢になればヒトは４の座面後部にお尻が乗ることとなり滑りやすい素材のため前方に滑りやすくなるために、自然に１１の足裏は床を踏ん張る姿勢となる。１０の大腿部含め下肢は踏ん張るため本クッションに座っているだけで自然に筋トレ効果が得られ、座りっぱなしによる全身特に下肢の衰えの進行を予防できる。また、この姿勢は口腔機能のうち咬合力の改善にも寄与が期待できる。正しく設置された上にヒトが座ると９の骨盤は立った状態となり骨盤が後傾するいわゆる仙骨座り姿勢が抑制でき臀部全面と下肢で体重を支えるため座り床ずれも予防できる。骨盤の上にある背骨８は立った骨盤の上にあるため背もたれにもたれることなく自然なＳ字カーブが形成され姿勢が維持され、頭部も正しい頸椎上に乗った姿勢になるので肩こりや円背予防となる。
【符号の説明】
【００１５】１  クッション全体
２  後部
３  前部
４  滑りやすい素材
５  滑りにくい素材
６  クッション本体
７  椅子の背もたれ
８  ヒトの背骨
９  ヒトの骨盤
１０  ヒトの下肢
１１  ヒトの足裏
【図１】
0003215398.tif 000003
【図２】
0003215398.tif 000004
(57)【要約】      （修正有）【課題】手軽に寸法測定における温度の影響が学習できる寸法測定における温度影響の学習器を提供する。【解決手段】温度の冷却剤４と加温剤４を格納する箱２と蓋３の一対で嵌め合う容器であり、容器のサイズは冷却剤、又は、加熱剤の適度な量と各種材質のテスト棒６が格納でき、前記箱と蓋の底部にテスト棒と温度センサー８のリード線９が挿入できる穴５が設けてあることで、低温度及び高温度の状態の各種材質のテスト棒の寸法測定ができる。【選択図】図１
0003215328.tif 000002
【実用新案登録請求の範囲】
【請求項１】
温度の冷却剤と加温剤を格納する箱と蓋の一対で嵌め合う容器であり、容器のサイズは保冷剤、又は、加熱剤の適度な量と各種材質のテスト棒が格納でき、前記箱と蓋の底部にテスト棒と温度センサーのリード線が挿入できる穴が設けてあることで、低温度及び高温度の状態において各種の材質のテスト棒の寸法測定ができて、寸法測定の温度影響の学習ができることが特徴である。
【考案の詳細な説明】
【技術分野】
【０００１】  本考案は、寸法測定における温度の影響度合いを学習する教材に関するものである。
【背景技術】
【０００２】  機械部品の寸法測定の精度は各種の要因の影響を受けるが、温度の影響はわかりにくいので機械部品の品質に関係する技術者、技能者に寸法測定の精度に温度が影響することの理解不足が散見される。
【考案の概要】
【考案が解決しようとする課題】
【０００３】  寸法の測定値は、測定物の熱膨張係数の影響を受けるが熱膨張係数と聞くと研究室的な高価な試験装置が必要と思われることが多く、手軽に温度の影響が学習できる装置が無かった。
【課題を解決するための手段】
【０００４】  本考案は、１）温度計、２）格納容器の箱、３）格納容器の蓋、４）加温剤（カイロ）、又は、冷却剤（保冷剤）、５）箱と蓋の穴  ６各種材質のテスト棒  ７）マイクロメータ  ８）センサーリード線で構成してあり、始めに冷却材で６℃付近に冷却されたテスト棒の寸法をマイクロメータで測定し、記録し、その後、加温剤で５０℃付近に昇温されたテスト棒の寸法をマイクロメータで測定し、記録し、６℃付近と、５０℃付近の測定値の差を求めて、その寸法の変化量を温度が変化した値で除した数値が物理学の熱膨張係数に近似することから、温度の変化が測定値に影響することが理解でき、寸法測定に温度変化が影響することを学習できることから課題を解決している。
【考案の効果】
【０００５】  本稿考案は、精密な研究室的な実験装置が無くても手軽に測定現場で実施することで、寸法測定における温度の影響を学習することに役立つ。
【図面の簡単な説明】
【０００６】
【図１】本考案の冷却、又は保温剤を格納容器に入れてテスト棒を測定する断面図
【考案を実施するための形態】
【０００７】  本考案の格納容器の箱に４℃付近に冷却された冷却材、各種の材質のテスト棒、及び温度計のセンサーを入れて、箱の底部の穴からテスト棒を約１０ｍｍ出し、前記箱の穴からセンサーのリード線を取り出して温度計に接続する。続いて格納容器の蓋を穴からテスト棒を約１０ｍｍ出るように蓋を嵌め、約２０分間経過すると温度が６℃度付近で安定するので、３種類の材質のテスト棒の寸法をマイクロメータで測定し、記録し、続いて格納容器内の保冷剤を取り出し、かわりに加温材を入れて約４０分間経過するとテスト棒の温度が上昇し、約５０℃付近で安定するので、テスト棒の寸法をマイクロメータで測定し、記録し、テスト棒の６℃付近と５０℃付近の測定値の差を、温度の６℃と５０℃付近との温度差で除した値と、各種の材質のテスト棒について物理学の熱膨張係数とほぼ同じ値になることから寸法測定の温度影響が理解できる。
【０００８】
【図】
【０００９】１温度計  ２格納容器の箱  ３格納容器の蓋  ４加温材（カイロ）、又は冷却材  ５箱と蓋の穴  ６各種材質のテスト棒  ７マイクロメータ  ８センサー  ９センサーのリード線
【図１】
0003215328.tif 000003
【手続補正書】
【提出日】平成29年12月15日(2017.12.15)
【手続補正１】
【補正対象書類名】実用新案登録請求の範囲
【補正対象項目名】全文
【補正方法】変更
【補正の内容】
【実用新案登録請求の範囲】
【請求項１】
温度の冷却剤と加温剤を格納する箱と蓋の一対で嵌め合う容器であり、容器のサイズは冷却剤、又は、加熱剤の適度な量と各種材質のテスト棒が格納でき、前記箱と蓋の底部にテスト棒と温度センサーのリード線が挿入できる穴が設けてあることで、低温度及び高温度の状態の各種材質のテスト棒の寸法測定ができることを特徴とする寸法測定における温度影響の学習器。
(57)【要約】      （修正有）【課題】ゆで固まったゆで卵の卵黄（黄身）が卵白（白身）の中央になるようにし、ゆで卵の殻が剥き易いように調理することができるゆで卵調理器を提供する。【解決手段】鍋に入れて、卵の気室部分を下にして固定した状態でゆでることにより、卵黄を偏らずにゆで固めることを可能にする固定穴１をそなえた台座３により実現する。ゆでた後に殻を剥き易くするために、卵の気室のある部分の殻に亀裂をいれるための突起２を台座３の表面もしくは裏面に備える。【選択図】図１
0003215329.tif 000002
【実用新案登録請求の範囲】
【請求項１】
鍋に入れて、卵の気室部分を下にして固定した状態でゆでることにより、卵黄を偏らずにゆで固めることを可能にする固定穴をそなえた台座により実現するゆで卵調理器。
【請求項２】
ゆでた後に殻を剥き易くするために、卵の気室のある部分の殻に亀裂をいれるための突起を備えたゆで卵調理器。
【請求項３】
請求項１と請求項２の両方の機能を有するゆで卵調理器
【考案の詳細な説明】
【技術分野】
【０００１】
本考案はゆで卵調理器に関するものである。
【背景技術】
【０００２】
従来より、ゆで卵調理器はあった（例えば特許文献１）が、ゆで卵調理専用の大掛かりな器具であった。本考案はこれを簡単に使用・収納可能なものにし、卵の殻をむきやすくする機能を追加したものである。卵黄が偏って、ゆで固まらないようにすることと、卵の殻を剥き易くすることを実現するものである。
【先行技術文献】
【特許文献】
【０００３】
【特許文献１】特開2017-29361
【考案の概要】
【考案が解決しようとする課題】
【０００４】
ゆで固まったゆで卵の卵黄（黄身）が卵白（白身）の中央になるようにすること。ゆで卵の殻を剥き易いように調理すること。ゆでている卵を鍋の中で転がしたり、大掛かりなゆで卵調理器を使わずにこれらの課題を実現することである。
【課題を解決するための手段】
【０００５】
卵黄を卵白の中央でゆで固めるために、卵の構造を利用し、卵の気室のある部分を下にして固定するための固定穴を有する台座となる調理器具をゆでる鍋に入れて卵を縦に固定することにより実現する。卵黄は卵の内部でカラザにつながっており、卵の尖ったほうを上にして固定することにより、カラザに卵黄が吊るされた状態になり、卵の中央に維持される。また、卵の丸いほう（卵の尖ったほうの逆側）には気室があり、ゆでる前にこの部分の殻に亀裂を作り、ゆでている湯を卵殻膜に浸入させることにより、卵の殻はむきやすくなる。突起を調理器具に備え、ゆでる前に卵の気室のある部分の殻を突起に打ちつけることにより、殻に湯を侵入させるための亀裂を作ることにより実現する。
【考案の効果】
【０００６】
卵黄が卵白の中央にゆで固まることと、ゆでた卵の殻が剥き易くなることを、卵を立てて固定する穴と突起を有する簡素な台座によって実現し、簡単に使用・収納することができる。本考案は簡素な構造であることから製造しやすく、市場展開しやすい。
【図面の簡単な説明】
【０００７】
【図１】本考案の斜視図である。
【図２】本考案の使用方法１の正面図である。突起で卵の気室のある部分の殻に小さな亀裂を作る際の状態を示す。
【図３】本考案の使用方法２の斜視図である。本考案のゆで卵調理器を鍋に入れて、卵の気室のある部分を下にして固定穴に置き、台座に固定した状態を示す。卵の数、固定穴の数を限定するものではない。
【考案を実施するための形態】
【０００８】
まず、これからゆでる前の卵の気室のある部分の殻に亀裂をいれる作業を行う。図２のように、本考案の中央部にある突起に卵の気室のある部分の殻を打ちつけ、殻に亀裂をいれる（使用方法１）。これをゆでる卵すべてに行う。次に本考案のゆで卵調理器である台座を鍋の中にいれ、先ほど、殻に亀裂をつけた卵を気室部分を下にして図１の１の固定穴に入れて卵を台座で固定した状態にする（使用方法２）。図３のような状態にして使用する（卵を２個置いた場合）。鍋に水を入れ、ゆでることにより、カラザにつるされた卵黄が偏らずにゆでることができる。また、気室部分の殻の亀裂より、お湯が卵殻膜に侵入することにより、ゆでた後に簡単に殻を剥くことができる。
【実施例】
【０００９】
実施例を図２、図３に示す。但し、固定穴の数、一度にゆでる卵の数を限定するものではない。
【符号の説明】
【００１０】
１  固定穴
２  突起
３  台座
【図１】
0003215329.tif 000003
【図２】
0003215329.tif 000004
【図３】
0003215329.tif 000005
【手続補正書】
【提出日】平成30年1月14日(2018.1.14)
【手続補正１】
【補正対象書類名】実用新案登録請求の範囲
【補正対象項目名】全文
【補正方法】変更
【補正の内容】
【実用新案登録請求の範囲】
【請求項１】
鍋に入れて、卵の気室部分を下にして固定した状態でゆでることにより、卵黄を偏らずにゆで固めることを可能にする固定穴をそなえた台座により実現するゆで卵調理器。
【請求項２】
ゆでた後に殻を剥き易くするために、卵の気室のある部分の殻に亀裂をいれるための突起を前記台座の表面もしくは裏面に備えたことを特徴とする請求項１に記載のゆで卵調理器。
(57)【要約】      （修正有）【課題】内寸１５Φの砥石１種類しか使用できなかった電気ディスクグラインダに、廃棄処分の砥石を再利用することができる砥石固定用凸型コンベックスナットを提供する。【解決手段】内寸１５Φの砥石１種類しか使用できなかった、Ｍ１０のスピンドルを持つ電気ディスクグラインダ５に、差込部分の直径を２２Φ、内径を１５Φ、高さを５ｍｍに設定した砥石固定用凸型コンベックスナット８を取付け、廃棄処分していた使用済みの内寸２２Φの砥石７を、内寸１５Φの砥石専用電気ディスクグラインダ５で再生利用する。【選択図】図２
0003215324.tif 000002
【実用新案登録請求の範囲】
【請求項１】
Ｍ１０のスピンドルを持つ電気ディスクグラインダは、内寸１５Φの砥石１種類しか使用できなかったが、廃棄処分していた使用済みの内寸２２Φの砥石を、内寸１５Φの砥石専用電気ディスクグラインダで再生利用し経費削減できるコンベックスナット。
【考案の詳細な説明】
【技術分野】
【０００１】  本考案は、電気ディスクグラインダ本体５のスピンドルに取り付けて砥石７を固定するコンベックスナット８
【背景技術】
【０００２】  Ｍ１０のスピンドルを持つ電気ディスクグラインダ専用の砥石は、外寸１００Φ取付内寸１５Φの１種類の砥石しか使用できなかった。
【考案の概要】
【考案が解決しようとする課題】
【０００３】  従来、外寸１８０Φ、内寸２２Φの電気ディスクグラインダの砥石は、外寸１３０Φぐらいまで使用すると、廃棄処分されていた。各事業所では、ごみの取り扱いに苦慮していた。
【課題を解決するための手段】
【０００４】  コンベックスナット８を使用することにより、今まで廃棄されていた内寸２２Φの砥石が復活再生利用できる。
【考案の効果】  産業廃棄物量が減り、事業所のごみ経費が減る。再利用のため砥石購入経費の削減。中型（１３０Φ用）の電気ディスクグラインダは購入不要のため経費削減となる。
【図面の簡単な説明】
【０００５】
【図１】本コンベックスナットの正面図である。
【図２】本考案のコンベックスナット取付例を示す組立図である。
【考案を実施するための形態】
【０００６】  コンベックスナット８の形状を凸型にすることにより、砥石装着後のガタつきがないため、電気ディスクグラインダ５の回転のブレ、及び振動が起きない。
【実施例】
【０００７】以下、添付図面に従って取付例を説明する。５は電気ディスクグラインダ本体、６は電気ディスクグラインダの付属品ホイルワッシャー。７は外寸１００Φまで使用済みの砥石。８はコンベックスナット。９は電気ディスクグラインダ本体付属品のスパナ
【符号の説明】
【０００８】１．２２Φ
２．１５Φ
３．Ｍ１０ナットネジ
４．４．５Φ
５．電気ディスクグラインダ本体
６．電気ディスクグラインダの付属品ホイルワッシャー
７．外寸１００Φまで使用済みの砥石
８．コンベックスナット
９．電気ディスクグラインダ本体付属品のスパナ
ａ．５ｍｍ
ｂ．１１ｍｍ
ｃ．２ｍｍ
ｄ．６ｍｍ
ｅ．１９．２ｍｍ
ｆ．３０ｍｍ
【図１】
0003215324.tif 000003
【図２】
0003215324.tif 000004
【手続補正書】
【提出日】平成29年12月11日(2017.12.11)
【手続補正１】
【補正対象書類名】実用新案登録請求の範囲
【補正対象項目名】全文
【補正方法】変更
【補正の内容】
【実用新案登録請求の範囲】
【請求項１】
Ｍ１０のスピンドルを持つ内径１５Φの回転砥石専用電気ディスクグラインダに内径２２Φの回転砥石を固定するためのナットにおいて差込部分の直径を２２Φ内径を１５Φ高さ５ｍｍに設定した砥石固定用凸型コンベックスナット
(57)【要約】【課題】  半袖シャツの上にスーツの上着を着用する際、蒸し暑い戸外で、腕の発汗によりスーツの上着の袖が腕にまとわりつくことによる、着心地の悪さを解消する、着脱容易な半袖シャツ用の長袖を提供する。【解決手段】  本考案は、メッシュ生地で作られた長袖シャツの袖部分（１）のみを用意し、腕に通したら、袖の上部端（２）を二の腕部分（６）で固定し、腕が直接スーツの上着の袖に密着することを防止する。【選択図】図１
0003215330.tif 000002
【実用新案登録請求の範囲】
【請求項１】
半袖シャツに上着を着用した際に、腕の発汗により上着の袖の内側が腕にまとわりつかないように、腕に簡単に装着することを特徴とする長袖であって、長袖の端部分を持って指先から腕に通して引き上げ、手首での袖先の位置を調整した後、二の腕部分で固定する半袖シャツ用長袖。
【請求項２】
長袖は、二の腕で固定する部分とカフス部を除きメッシュ生地を使用し、二の腕で固定する部分に、ゴム等の収縮性のある素材を縫い込むか、マジックテープが取付けてあることを特徴とする請求項１に記載する半袖シャツ用長袖。
【考案の詳細な説明】
【技術分野】
【０００１】  本考案は、半袖シャツの上にスーツの上着を着用する際、蒸し暑い戸外で、腕の発汗により上着の袖の内側が腕にまとわりつくことを防止する、着脱容易な半袖シャツ用長袖に関するものである。
【背景技術】
【０００２】  従来より、手首までカバーする手段として、半袖シャツの袖先に長袖部分を着脱する考案が開示されている。着脱方法として、ボタン、ファスナー或はマジックテープ等が用いられている。何れも、連結が確実で、半袖又は長袖が自在に実現できる。
【先行技術文献】
【特許文献】
【０００３】
【特許文献１】実開昭６２−１８００２２公報
【特許文献２】特開平１１−１２４７１３公報
【特許文献３】特開２００１−１１７０１公報
【特許文献４】特開２０１５−４８５３９公報
【考案の概要】
【考案が解決しようとする課題】
【０００４】  半袖シャツの袖先に長袖を装着する方法として、特許文献１は、ボタン、マジックテープ或はファスナーで、特許文献２は、マジックテープ等で、特許文献３は、ファスナー、ボタン或はホック等で、特許文献４は、爪を爪挿入部に挿入することで実現している。しかし、これらの方法は、シャツを着用したままでは容易に装着できない、という問題がある。本考案は、外出先でも上着を脱ぎ、シャツを着たままその場で簡単に着脱できる長袖部の考案により課題を解決するものである。
【課題を解決するための手段】
【０００５】  前記の課題を解決するために、本考案は、半袖シャツの袖先と長袖を連結するのでなく、長袖部の上部端を直接腕に、又は半袖シャツの袖先部の上から腕に固定するものである。【０００６】  長袖シャツの袖部分のみを用意し、腕に通したら、袖の上部端を二の腕部分で固定し、腕が直接上着の袖に密着することを防止する。固定方法は、長袖の固定部周囲に、伸縮性のある素材を縫い込むか、或はマジックテープ等を取付けて固定する。【０００７】  本考案は、半袖シャツの上にスーツの上着を着用する場合を想定しており、上着の内側はうかがい知れず、外観からは長袖シャツを着用しているよう映る。従って、スーツを着用しない場合は、基本的に、長袖部は装着しないものとする。また、長袖の生地は、二の腕で固定する部分とカフス部を除き、軽くて速乾性のあるメッシュ生地を使用する。
【考案の効果】
【０００８】  本考案は、半袖シャツを着用したまま、何時でも、何処でも、簡単に長袖部を着脱できる。従って、室内で上着を着用しない時は長袖部を外し、外出の際に上着を着用する場合は、長袖部を装着するというように、状況に応じて自在に扱うことが出来る。
【図面の簡単な説明】
【０００９】
【図１】本考案の実施形態を示す斜視図である。
【図２】長袖部の斜視図である。
【考案を実施するための形態】
【００１０】  以下、本考案の実施例を図面に基づいて詳細に説明する。
【実施例】
【００１１】  図１は、本考案の実施形態を示す図である。図２は長袖部の斜視図である。装着は、先ず長袖部（１）の端部分（２）を持って指先（３）から腕に通して引き上げ、手首（４）での袖先（５）の位置を調整した後、二の腕部分（６）を固定する。長袖の固定部には、ゴム等の収縮性のある素材を縫い込むか、マジックテープを取付けて腕に固定する。その際、腕に直接、又は半袖シャツの袖の上に被せて固定することが出来る。長袖の袖先位置の調整は、二の腕の固定位置で行う。
【符号の説明】
【００１２】１  長袖部
２  長袖の端部分
３  指先
４  手首
５  長袖の袖先
６  二の腕部分
【図１】
0003215330.tif 000003
【図２】
0003215330.tif 000004
【手続補正書】
【提出日】平成29年12月26日(2017.12.26)
【手続補正１】
【補正対象書類名】実用新案登録請求の範囲
【補正対象項目名】請求項２
【補正方法】変更
【補正の内容】
【請求項２】
長袖は、二の腕で固定する部分とカフス部を除きメッシュ生地を使用し、二の腕で固定する部分に、ゴム等の収縮性のある素材を縫い込むか、面ファスナーが取付けてあることを特徴とする請求項１に記載する半袖シャツ用長袖。
(57)【要約】      （修正有）【課題】沸とうしたケトルの熱い取手を握り持つ時、手袋や布巾を用いず、火傷の心配もなく、素手で持てる、熱くない取手を提供する。【解決手段】ケトルの金属のツル１に樹脂のカバー２を成型し、その握り手の部分にせん維質の断熱ロープ３をラセン状に巻きつけた熱くない取手である。【選択図】図１
0003215338.tif 000002
【実用新案登録請求の範囲】
【請求項１】
ケトル４の取手１に樹脂製カバー２を取付けその上に直径約４ｍｍのせん維質の断熱ロープ３を巻きつけたことを特徴とする熱くない取手。
【考案の詳細な説明】
【技術分野】
【０００１】本考案は沸とうしたケトルの熱い取手をすぐにも素手で持てる、熱くない取手に関するものである。
【背景技術】
【０００２】従来、沸とうしたケトルの熱い取手を持つ時、火傷をしないように厚手の手袋や布巾などを用いて慎重に怖々とケトルを使用する。
【考案の概要】
【考案が解決しようとする課題】
【０００３】沸とうしたケトルの取手が熱くなければ、手袋や布巾などの雑用もなく、安心して素手で取手を持ち、ケトルを使用することができる。
【課題を解決するための手段】
【０００４】ケトルの取手の金属製ツルにロープの巻きつけ補助部品として、樹脂製カバーを成型する。そのカバーにせん維質の断熱ロープを巻きつけることにより、熱くない取手となる。
【考案の効果】
【０００５】沸とうしたケトルの取手を素手に持てることにより厚手の手袋や布巾などを使う雑用もなく、火傷の心配もない。又、握り手の触感の良さと、ロープのカラーコーディネイトでグレードアップも計れる。
【図面の簡単な説明】
【０００６】
【図１】本考案のケトルの側面図、１部、取手右側の断面図。
【考案を実施するための形態】
【０００７】本考案を図１によって設明する。金属製ツル１に断熱ロープ３の巻きつけ補助部品として、樹脂製カバー２を成型する。その中央部に握り手の巾より広めに、耐久性、防炎処理した、せん維質の直径４ｍｍ程の断熱ロープ３をラセン状に詰めて巻き込み、熱くない取手とする。
【符号の設明】
【０００８】１    金属製ツル
２    樹脂製カバー
３    断熱ロープ
４    ケトル
【図１】
0003215338.tif 000003
(57)【要約】      （修正有）【課題】現代多忙に働く人たちの頭痛、眼精疲労、ストレスや睡眠環境を改善する顔用塩枕を提供する。【解決手段】ミネラルを含んだ天然岩塩とクリスタルを粒にし、持続的に使用できる素材で包み込んだことを特徴とする。枕の中の素材使用により眼精疲労をやわらげ、安眠を得られる。【選択図】図２
0003215335.tif 000002
【実用新案登録請求の範囲】
【請求項１】
ミネラルを含んだ天然岩塩とクリスタルを粒にし、持続的に使用できる素材で包み込んだことを特徴とする顔用塩枕。
【考案の詳細な説明】
【技術分野】
【０００１】本考案は、天然ミネラルを含んだ岩塩とクリスタルを持続的に使用できる素材で包み込んだ顔用の塩枕に関するものである。
【背景技術】
【０００２】古来より伝承の健康法「頭寒足熱」の頭寒を天然岩塩のヒンヤリ感で行いクリスタルを用いて身体をリラックスさせ安眠へ導く。
【考案の概要】
【考案が解決しようとする課題】
【０００３】スマホにパソコン、電子書類等を多用する現代人を取り巻く目の眼精疲労や、睡眠の環境は良いとは言えず、睡眠環境を改善する顔枕の開発が必要だった。
【考案が解決するための手段】
【０００４】人体と同じ割合でミネラルが含まれている栄養価の高いアルカリ性の天然岩塩とクリスタルを粒にし、持続的に使用可能で岩塩とクリスタルのヒンヤリ感を損なわない素材で包むことで構成した塩まくらで眼精疲労をやわらげて安眠へと導く。
【考案の効果】
【０００５】凡そ不均一な砕石状の天然岩塩とクリスタルの粒が、眼精疲労や顔の筋肉をやわらげ、顔面をリラックスさせることで質の良い睡眠に導き自己の健康回復能力を促進させることが出来る。
【図面の簡単な説明】
【０００６】
【図１】  斜視図
【図２】  正面図
【図３】  側面図
【図４】  カバー図
【符号の説明】
【０００７】１（枕の本体）
２（ステッチ）
３（内部側面）
４（カバー）
５（本体出し入れ口）
【図１】
0003215335.tif 000003
【図２】
0003215335.tif 000004
【図３】
0003215335.tif 000005
【図４】
0003215335.tif 000006
(57)【要約】      （修正有）【課題】ゴミ袋をゴミ箱の内側で、簡単な作業で綺麗に固定するための器具を提供する。【解決手段】接着テープ付きの、櫛形の帯状フィルムからなる板状の器具である固定具６を、ゴミ箱２の口の部位の内周に貼りつけ、これによって器具とゴミ箱２の間に生じた隙間に、ゴミ袋の口の部分を挟んで固定する。【選択図】図５
0003215333.tif 000002
【実用新案登録請求の範囲】
【請求項１】
ゴミ箱の内側でゴミ袋を固定するために、箱の口の部位の内周に接着して用いる、薄板状の、ゴミ袋固定用の器具。
【考案の詳細な説明】
【技術分野】
【０００１】ゴミ箱の内側に装着するゴミ袋は、ゴミ箱を水気で汚さない為や、溜まったゴミを袋のまま取り出すことができ、その処理を容易にする為に用いられている。【０００２】家庭におけるゴミ袋は、スーパー等が配るレジ袋（図３）を再利用する例が多い。一方、事業所等では、箱のサイズに合わせた、専用のゴミ袋が用いられることが多い。【０００３】これらのゴミ袋の大半は、把手（図３−４）を具えている。
【背景技術】
【０００４】これまで、ゴミ袋をゴミ箱に固定する方法は、単に袋の口の縁を、箱の口の外側に折り返すだけで（図１）、まれに折り返した袋を、ゴムベルトや紐で鉢巻き状に絞めつけて固定している（図２）。【０００５】ゴミ袋の材質は、大半がポリエチレン樹脂製で、そのフィルムは極薄である。
【考案の概要】
【考案が解決しようとする課題】
【０００６】ゴミ箱の内側に装着するゴミ袋を、簡単な作業で綺麗に装着したい。即ち、ゴミ袋の口の部分や袋の把手部分を、箱の外側に垂れ下がらせないで始末したい。
【課題を解決するための手段】
【０００７】この課題を解決するための、請求項１の考案になる器具（図４）をゴミ箱の口の部分の内周に貼りつけて、袋を箱の内壁面に固定する。【０００８】考案になる板状の器具は、接着テープ（図４−８）で、ゴミ箱の口部の縁の内周に貼りつける（図５）。【０００９】本考案になる器具（薄板）の素材は、板紙や樹脂のシート等が利用できる。【００１０】本考案になる器具は、ゴミ箱が角形でも、円筒形でも適応できる。図５は、円筒形のゴミ箱の口の内周に接着した例である。【００１１】本考案になる器具は、ゴミ箱の口の寸法に合わせて、足したり切断したりして（短くカットして）適応できる。【００１２】本考案の器具を櫛形にしているのは、プレート状の器具のしなやかさを利用するためである。これによって、多くの底窄（すぼ）み形のゴミ箱に適応し易くなる。【００１３】ゴミ袋の装着の仕方は、本考案になる器具をゴミ箱に接着することによって生じる、ゴミ箱との間の隙間に、袋の口の部分や把手を押し込んで、引っ掛けて固定する（図６）。
【本考案の効果】
【００１４】ゴミ袋はゴミ箱の内側で装着できることになり、外観が綺麗になる（図７）。
【００１５】把手（４）やとじ紐（５）付きのレジ袋も、簡単に始末でき（図７）、用済み袋の再利用に抵抗がなくなる。
【図面の簡単な説明】
【００１６】
【図１】は、ゴミ箱にゴミ袋を投入した図。
【図２】は、ゴミ袋をゴミ箱に、ゴムベルトで固定した図である。
【図３】は、レジ袋の斜視図である。
【図４】は、本考案になるゴミ袋の固定器具である。
【図５】は、本考案になる固定器具を、ゴミ箱の上部の内側に接着した状態を示す。
【図６】は、固定器具をゴミ箱に接着することによって生じる隙間に、ゴミ袋の口の部分を差し込んだ状態を、断面図で示す。
【図７】は、本考案になる固定器具に、ゴミ袋を装着し、綺麗に始末された状態を示す。
【考案を実施するための形態】
【００１７】本考案になる器具のプレート（薄板）は、弾力性を備えることが望ましい。その素材は、ポリプロピレン樹脂製のシートがよい。
【００１８】器具（図４）の大きさの目安は、横４０ｃｍ前後、縦１０ｃｍ前後、切り込みの深さ（長さ）は、３ｃｍ前後、切り込みの間隔は４〜５ｃｍがよい。その厚みは０．２ｍｍが目安である。
【符号の説明】
【００１９】１  …  １は、ゴミ袋。
２  …  ２は、ゴミ箱。
３  …  ３は、ゴムベルト。
４  …  ４は、把手。
５  …  ５は、とじ紐。
６  …  ６は、ゴミ袋の固定具。
７  …  ７は、固定器具の上部。
８  …  ８は、両面接着テープ。
９  …  ９は、切り込み。
【図１】
0003215333.tif 000003
【図２】
0003215333.tif 000004
【図３】
0003215333.tif 000005
【図４】
0003215333.tif 000006
【図５】
0003215333.tif 000007
【図６】
0003215333.tif 000008
【図７】
0003215333.tif 000009
【手続補正書】
【提出日】平成29年12月18日(2017.12.18)
【手続補正１】
【補正対象書類名】実用新案登録請求の範囲
【補正対象項目名】全文
【補正方法】変更
【補正の内容】
【実用新案登録請求の範囲】
【請求項１】
接着テープ付きの、櫛形の帯状フィルムで、ゴミ箱にゴミ袋を固定するための器具。
(57)【要約】      （修正有）【課題】自然環境にも影響されず、しかも任意な場所と時期に潮干狩りをレジャー的に行える全天候型簡易潮干狩り装置を提供する。【解決手段】架台イとその架台に設置された水槽アとからなる簡易潮干狩り装置１００であって、その水槽アには水槽を少なくとも二区域に分割する隔壁が設けられており、その区域の一方には、その底部に合成樹脂製細粒と天然細砂が敷き詰められており、他方の区域の底部には排水栓が設けられている。【選択図】図１
0003215336.tif 000002
【実用新案登録請求の範囲】
【請求項１】
架台と、その架台に設置された水槽からなる簡易型潮干狩り装置であって、その水槽内は水槽を二区分する隔壁が設けられており、その一方の広域区分の底部には合成樹脂製細粒と天然砂粒が敷き詰められ、他方の小域区分の底部には排水栓が設けられている全天候型簡易潮干狩り装置。
【請求項２】
前記隔壁には水槽内の二区分を連通する排水口が設けられている請求項１記載の全天候型簡易潮干狩り装置。
【請求項３】
前記一方の広域底部の中央部には深さ５センチの前記天然細砂が敷き詰められ、そして、天然細砂の両側を挟むように幅１０センチメートル、深さ５センチメートルの前記合成樹脂製細粒が敷き詰められている請求項２記載の全天候型簡易潮干狩り装置。
【請求項４】
前記架台は４本の縦支柱と、その支柱を連結する少なくとも４本の梁とから成り、その梁は前記水槽を設置した際に、前記水槽内の海水が前記排水栓から流れ出る様に傾斜して、縦支柱に取り付けられている請求項３記載の全天候型簡易潮干狩り装置。
【考案の詳細な説明】
【技術分野】
【０００１】  本考案はアサリ、ハマグリ、小魚などの魚貝類採りを楽しむ全天候型簡易潮干狩り装置に関するものである。
【背景技術】
【０００２】  潮干狩り、網干し等のレジャーは、季節、天候、潮の干満等に影響されるばかりでなく、作業による汚染および事後処理が大変である。
【先行技術文献】
【特許文献】
【０００３】
【特許文献１】特開２０１７−１２１２１
【考案の概要】
【考案が解決しようとする課題】
【０００４】    特許文献１が示す通り、貝類の飼育に関する装置等の発明・考案は多数提案されて、現実に稼働しているが、潮干狩り装置に関する発明・考案については見当たらない。そこで、自然環境にも影響されず、しかも任意な場所と時期に潮干狩りをレジャー的に行える様にする。
【課題を解決するための手段】
【０００５】  小型の水槽の底部両側には合成樹脂製細粒ないしペレットを敷き、その中間部底部には天然細砂を敷き、全体底部を平坦にして、貝類を放した後に、採捕する場所とする。そうした水槽を架台に設置し、海水を水深１０センチメートル位まで注ぐ事で、簡易潮干狩り装置が完成する。
【考案の効果】
【０００６】  本考案により、自然環境近い砂場を設置した装置を手軽に、任意な場所へ運搬し、注いだ海水の注排水により、放した魚貝類を素手で採取できる。
【図面の簡単な説明】
【０００７】
【図１】本考案の全体側面図である。
【図２】水槽を乗せる架台の全体図である。
【図３】水槽平面図である。
【図４】水槽断面図である。
【考案を実施するための形態】
【０００８】  以下、図１〜図３に基づいて、本考案の実施形態である全天候型簡易潮干狩り装置１００について説明する。
【実施例】
【０００９】  水槽アは７０リットルの容積を有し、合成樹脂製である。この水槽ア内は第４図に示す通り、区域Ａと区域Ｂに区分され、その間には隔壁Ｄが設けられている。区域Ｂの底面には排水栓Ｅを設け、隔壁Ｄには幅５センチメートルの排水口ｅを設ける。排水口ｅには目合２ミリメートルの遮蔽網を張る。排水栓Ｅの下には受水槽ウが設置されている。【００１０】  第３図、第４図に示す通り、区域Ａの底部両側部には深さ５センチメートル、幅１０センチメートルに至って、直径３ミリメートルの合成樹脂製細粒（若しくはペレット）３．４Ｋｇが敷かれ、両合成樹脂１．７ｋｇと１．７ｋｇの間には直径３ミリメートルの天然細砂ｆが敷き詰められて、全体が平坦に均されている。これによって魚貝類の放流、採捕場所を作る。【００１１】  そのようにした水槽１００を図２に示す架台イに載せる。この架台イは縦の支柱４本（ａ、ｂ、ｃ、ｄ）と、その４本の支柱の中間位置に固定された梁ｈとより構成され、図２において左側から右側に約３センチメートル右下がりとなる様に固定されている。したがって、この架台図２に載せられる水槽アの底面は傾斜する。【００１２】  架台２に載せた水槽アに、海水を深さ１０センチメートル位まで注ぎ、貝類等を放流する。その収穫を楽しむ際は、区域Ｂの排水栓Ｅから排水させ、区域Ａの底部を干出させる。水槽アの底部が傾斜しているので、区域Ａの底部を干出させることができる。排水栓からの排水は受水槽ウで受ける。【００１３】  再利用する時は受水槽の海水を水槽内へ汲み入れ、再度、貝類等を放流する事で、繰り返し使用できる。
【業上の利用可能性】
【００１４】  自然環境に影響されず、任意な場所と時期に潮干狩りが楽しめる。
【符号の説明】
【００１５】１００  易潮干狩り装置
ア  水槽
イ  架台
ウ  受水槽
Ａ  区域
Ｂ  区域
Ｄ  隔壁
Ｅ  排水栓
ａ、ｂ、ｃ、ｄ  縦支柱
ｆ  天然細砂
ｇ  合成樹脂細粒
ｈ  梁
【図１】
0003215336.tif 000003
【図２】
0003215336.tif 000004
【図３】
0003215336.tif 000005
【図４】
0003215336.tif 000006
(57)【要約】      （修正有）【課題】使用時の位置を良好に保持しながら、アクセサリーとしても利用可能な機能も付加可能な、汎用性の高いずれ防止装置付きバッグを提供する。【解決手段】ずれ防止装置付きバッグＡは、不使用時にはバッグＡの内側に収納されて使用時にはバッグＡの外部へ引き出すことができるように一端がバッグＡから外れないように加工してあると共に他端がバッグＡの外部へ露出する形態変化可能な線状部材５を有し、その他端に身体側の固定個所Ｂへ装着可能な留め部材６を有する。【選択図】図４
0003215362.tif 000002
【実用新案登録請求の範囲】
【請求項１】
不使用時にはバッグの内側に収納されて使用時にはバッグの外部へ引き出すことができるように一端が前記バッグから外れないように加工してあると共に他端が前記バッグの外部へ露出する形態変化可能な線状部材を有し、その他端に身体側の固定個所へ装着可能な留め部材を有することを特徴とするずれ防止装置付きバッグ。
【考案の詳細な説明】
【技術分野】
【０００１】  本考案は、バッグインバッグ（Ｂａｇ  ｉｎ  Ｂａｇ）、ショルダーバッグ（Ｓａｔｃｈｅｌ  Ｂａｇ）、トートバッグ（Ｔｏｔｅ  Ｂａｇ）、ショッピングバッグ（Ｓｈｏｐｐｉｎｇ  Ｂａｇ）、ポーチ（Ｐｏｕｃｈ）、ポシェット（Ｐｏｃｈｅｔｔｅ）等の肩紐を片方の肩に掛けて使用することができるバッグにおけるずれを防止する機能を付加したものに関する。
【背景技術】
【０００２】  比較的小型のバッグを肩に掛けて使用する場合、歩行時等の身体の動きに応じてバッグの位置がずれることがあり、同様な不便に着目してバッグを首で保持するもの（特許文献１）が知られている。
【先行技術文献】
【特許文献】
【０００３】
【特許文献１】特開２０１３−２３６８８３号公報
【考案の概要】
【考案が解決しようとする課題】
【０００４】  斯かる先行技術では、構成が大掛かりであり、バッグの位置保持用としての機能しか有さず、特に女性にとっては採用しづらい構造であった。【０００５】  本考案は、バッグを良好に保持しながら、利便性や装飾性の高いずれ防止装置を有するバッグの提供を目的とするものである。
【課題を解決するための手段】
【０００６】  本考案のずれ防止装置付きバッグは、不使用時にはバッグの内側に収納されて使用時にはバッグの外部へ引き出すことができるように一端が前記バッグから外れないように加工してあると共に他端が前記バッグの外部へ露出する形態変化可能な線状部材を有し、その他端に身体側の固定個所へ装着可能な留め部材を有するものである。
【考案の効果】
【０００７】  本考案のずれ防止装置付きバッグは、不使用時にはバッグに収納されているため邪魔にならず、使用時のみバッグの外部へ引き出して固定個所に装着するため歩行時等の身体の動きに応じてバッグの位置がずれることを防止することができる機能を有するものである。
【図面の簡単な説明】
【０００８】
【図１】  本考案の実施例の側面図である。
【図２】  同上の要部断面図である。
【図３】  同上の側面図である。
【図４】  同上の使用状態の説明図である。
【考案を実施するための形態】
【０００９】  本考案のずれ防止装置付きバッグは、バッグと身体側とを連結する線状部材および留め部材とを具備している。
【実施例】
【００１０】  以下、添付図面に従って本考案の実施例である肩紐を片方の肩に掛けて使用するショルダーバッグの例で説明する。【００１１】  Ａは、ショルダーバッグであり、上方が開口している有底袋状形状であって、外素材１と内素材２との二重構造になっており、前記開口側には肩に掛けたり、手に持ったりすることのできる肩紐３が付いている（図１、２参照）。【００１２】  バッグＡの外素材１の前記開口側の一か所には、穴４が開いており、この穴４から外素材１と内素材２との間に位置するように形態変化可能なチェーン（線状部材）５が配置されている。【００１３】  チェーン５の一端は、バッグＡから外れないように加工してあると共に、多端はバッグＡの穴４からバッグＡの外部へ常時若干露出する構成となっており、この多端の先端には、ベルトループ等の使用者の身体側の固定個所Ｂに装着可能なクリップ（留め部材）６が装着されている（図３、４参照）。【００１４】  前記加工例としては、前記一端に略Ｔ字状を設けて穴４の内側で引っかかる構成や、前記一端を外素材１または内素材２と固定する構成が可能である。【００１５】  チェーン５は、自重または使用者の操作により、不使用時にはバッグＡに収納されるものであるが、バッグＡ内の収納物の邪魔にならないならば、外素材１と内素材２との間に配置されなくても構わない。【００１６】  このように簡単な構成であり、不使用時にはバッグＡに収納されているため邪魔にならず、使用時のみバッグＡの外部へ引き出して固定個所Ｂに装着するため歩行時等の身体の動きに応じてバッグＡの位置がずれることを防止することができる。【００１７】  チェーン５には、クリップ６を装着した近傍部分に、名刺、定期券、電子乗車券、医療診察券、電子マネー、メモ用紙などを収納するパスケースや、好みのアクセサリー類などの図示しない付属品を付けることもでき、前記パスケースの場合には、ポケットなどの衣料に入れて使用するよりも便利であり、前記アクセサリー類の場合には、ファッションの一部としてのアクセントとしての機能を持たせることができ、特に、女性にとって利便性や装飾性が高いものである。【００１８】  本考案は、その趣旨の範囲内で種々の変形が可能であり、例えば、チェーン５以外の紐や樹脂線にて線状部材を構成することもできる。【００１９】  また、クリップ６以外のフックや鍵にて前記留め部材を構成することもできるし、それらを用いることなく前記付属品（段落番号００１７）で前記留め部材の役割を持たせることもできる。
【符号の説明】
【００２０】    Ａ  バッグ
１  外素材
２  内素材
３  肩紐
４  穴
５  チェーン（線状部材）
６  クリップ（留め部材）
Ｂ  ベルトループ（固定個所）
【図１】
0003215362.tif 000003
【図２】
0003215362.tif 000004
【図３】
0003215362.tif 000005
【図４】
0003215362.tif 000006
(57)【要約】【課題】排泄物の消臭及び清掃を容易に行い、良好な飼育環境をつくる鳥籠の排泄物処理装置を提供する。【解決手段】鳥籠の排泄物処理装置は、籠本体１と、籠本体１と組み立てることが可能な台座２と、台座２上に配設する制御モジュール３と、電源供給線４と、モータ制御線５と、モータ６と、排泄物撹拌機７とを備える。籠本体１は、台座２上に組み合わされる。台座２上には、電源供給線４を介して電源が供給される制御モジュール３が配設される。制御モジュール３は、モータ制御線５を介してモータ６の回転を制御し、モータ６の回転により排泄物撹拌機７が旋回される。制御モジュール３は、信号線８を介して光センサ９に接続される。電源供給線４は、室内の商用電源又は外付け電池に接続される。【選択図】図１
0003215317.tif 000002
【実用新案登録請求の範囲】
【請求項１】
籠本体と、前記籠本体と組み立てることが可能な台座と、前記台座上に配設する制御モジュールと、電源供給線と、モータ制御線と、モータと、排泄物撹拌機と、を備えた鳥籠の排泄物処理装置であって、
前記籠本体は、前記台座上に組み合わされ、前記台座上には、前記電源供給線を介して電源が供給される制御モジュールが配設され、
前記制御モジュールは、前記モータ制御線を介して前記モータの回転を制御し、前記モータの回転により前記排泄物撹拌機が旋回されることを特徴とする鳥籠の排泄物処理装置。
【請求項２】
前記制御モジュールは、信号線を介して光センサに接続されることを特徴とする請求項１に記載の鳥籠の排泄物処理装置。
【請求項３】
前記電源供給線は、室内の商用電源に接続されることを特徴とする請求項１に記載の鳥籠の排泄物処理装置。
【請求項４】
前記電源供給線は、外付け電池に接続されることを特徴とする請求項１に記載の鳥籠の排泄物処理装置。
【考案の詳細な説明】
【技術分野】
【０００１】
本考案は、鳥籠の排泄物処理装置に関し、特に、籠本体の台座に制御モジュールが配設され、制御モジュールは、モータの制御線を介してモータの旋回を制御し、モータの回転により排泄物撹拌機を駆動し、台座内に落下した排泄物をトイレ砂と十分に混合し、排泄物の消臭及び清掃を容易に行い、良好な飼育環境をつくる鳥籠の排泄物処理装置に関する。
【背景技術】
【０００２】
鳥籠構造を清潔に清掃することができるシステマチックな装置は従来技術には無かった。
【考案の概要】
【考案が解決しようとする課題】
【０００３】
本考案の主な目的は、排泄物の消臭及び清掃を容易に行い、良好な飼育環境をつくる鳥籠の排泄物処理装置を提供することにある。
【課題を解決するための手段】
【０００４】
上記課題を解決するために、本考案の第１の形態によれば、籠本体と、前記籠本体と組み立てることが可能な台座と、前記台座上に配設する制御モジュールと、電源供給線と、モータ制御線と、モータと、排泄物撹拌機と、を備えた鳥籠の排泄物処理装置であって、前記籠本体は、前記台座上に組み合わされ、前記台座上には、前記電源供給線を介して電源が供給される制御モジュールが配設され、前記制御モジュールは、前記モータ制御線を介して前記モータの回転を制御し、前記モータの回転により前記排泄物撹拌機が旋回されることを特徴とする鳥籠の排泄物処理装置が提供される。
【０００５】
前記制御モジュールは、信号線を介して光センサに接続されることが好ましい。
【０００６】
前記電源供給線は、室内の商用電源に接続されることが好ましい。
【０００７】
前記電源供給線は、外付け電池に接続されることが好ましい。
【考案の効果】
【０００８】
本考案の鳥籠の排泄物処理装置は、排泄物の消臭及び清掃を容易に行い、良好な飼育環境をつくる。
【図面の簡単な説明】
【０００９】
【図１】図１は、本考案の一実施形態に係る鳥籠の排泄物処理装置を示す分解斜視図である。
【図２】図２は、本考案の一実施形態に係る鳥籠の排泄物処理装置の使用状態の説明図である。
【図３】図３は、本考案の一実施形態に係る鳥籠の排泄物処理装置を示す組立斜視図である。
【考案を実施するための形態】
【００１０】
以下、本考案の実施形態について図に基づいて説明する。なお、これによって本考案が限定されるものではない。
【００１１】
図１〜図３を参照する。図１〜図３に示すように、本考案の一実施形態に係る鳥籠の排泄物処理装置は、籠本体１と、籠本体１と組み立てることが可能な台座２と、台座２上に配設した制御モジュール３と、電源供給線４と、モータ制御線５と、モータ６と、排泄物撹拌機７と、を含む。また、制御モジュール３は、信号線８を介して光センサ９と接続される。
【００１２】
図１〜図３に示すように、籠本体１は、台座２上に組み合わされる。台座２上には、制御モジュール３が配設される。制御モジュール３は、電源供給線４を介して室内の商用電源又は外付け電池に接続され、必要な電力が供給される。
【００１３】
また、制御モジュール３は、モータ制御線５を介してモータ６の回転を制御し、モータ６の回転により排泄物撹拌機７を旋回させる。この構成により、鳥籠の中で飼育する鳥類の排泄物が台座２上に落下すると、排泄物撹拌機７が旋回し、台座２に落下した排泄物が予め台座２内に置かれたトイレ砂と十分に混合されるため、消臭及び清掃を容易に行うことができる。
【００１４】
上述の制御モジュール３は、自動起動又は手動起動の２種類の使用モードを有する。また、制御モジュール３は、信号線８を介して光センサ９と接続され、昼間に起動したり夜間に起動したりする機能を有してもよい。
【００１５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１  籠本体
２  台座
３  制御モジュール
４  電源供給線
５  モータ制御線
６  モータ
７  排泄物撹拌機
８  信号線
９  光センサ
【図１】
0003215317.tif 000003
【図２】
0003215317.tif 000004
【図３】
0003215317.tif 000005